(57)【要約】【解決手段】デバイスは、（１つの一次ナロウチャネルおよび１以上の二次ナロウチャネルから成る）ワイドチャネルでの送信権を得ようとする際、１以上の二次ナロウチャネルの１つがビジー状態であることを検出すると、デバイスが有するバックオフカウンタを停止させ、ナロウチャネルの全てが再度アイドル状態になったことを検出すると、停止した時点の値からバックオフカウンタを再度始動させる。いくつかの実施形態においては、１以上の二次チャネルがビジー状態であるかどうかを検出するべく、ガードインターバル検出技術を用いる。【選択図】図１
2013537783.tif 000002
【特許請求の範囲】
【請求項１】
ワイドチャネルの複数のナロウチャネルのそれぞれがアイドル状態にあることを検出する段階と、
前記ワイドチャネルのナロウチャネルのそれぞれがアイドル状態にあることを検出する段階の後にバックオフカウンタを始動させる段階と、
前記バックオフカウンタを始動させる段階の後に、前記複数のナロウチャネルの少なくとも１つがビジー状態にあることを検出する段階と、
前記複数のナロウチャネルの少なくとも１つがビジー状態にあることを検出したことに応じて前記バックオフカウンタを停止させる段階と、
前記バックオフカウンタを停止させる段階の後に、前記複数のナロウチャネルのそれぞれが再度アイドル状態になったことを検出する段階と、
前記複数のナロウチャネルのそれぞれが再度アイドル状態になったことを検出する段階の後に、停止した時点の値から前記バックオフカウンタを再度始動させる段階と
を備える方法。
【請求項２】
前記バックオフカウンタの期限が切れたことを検出する段階と、
前記バックオフカウンタの期限が切れたことを検出したことに応じて、前記ワイドチャネルでの送信を行う段階と
をさらに備える、請求項１に記載の方法。
【請求項３】
前記バックオフカウンタを再度始動させる段階は、前記再度始動させることの前に、分散インターフレームスペース（ＤＩＦＳ）だけ遅延させる段階を有する、請求項１または２に記載の方法。
【請求項４】
前記複数のナロウチャネルの少なくとも１つがビジー状態にあることを検出する段階は、ガードインターバル検出技術を用いる段階を有する、請求項１から３のいずれか１項に記載の方法。
【請求項５】
前記ワイドチャネルのナロウチャネルのそれぞれがアイドル状態にあることを検出する段階は、エネルギー検出技術およびプリアンブル検出技術の少なくとも１つを用いる段階を有する、請求項１から４のいずれか１項に記載の方法。
【請求項６】
プロセッサ、無線装置、およびバックオフカウンタを有する無線通信デバイスを備える装置であり、
前記無線通信デバイスは、
ワイドチャネルの複数のナロウチャネルのそれぞれがアイドル状態にあることを検出し、
前記ワイドチャネルのナロウチャネルのそれぞれがアイドル状態にあることを検出した後に前記バックオフカウンタを始動させ、
前記バックオフカウンタを始動させた後に、前記複数のナロウチャネルの少なくとも１つがビジー状態にあることを検出し、
前記複数のナロウチャネルの少なくとも１つがビジー状態にあることを検出したことに応じて前記バックオフカウンタを停止させ、
前記バックオフカウンタを停止させた後に、前記複数のナロウチャネルのそれぞれが再度アイドル状態になったことを検出し、
前記複数のナロウチャネルのそれぞれが再度アイドル状態になったことを検出した後に、停止した時点の値から前記バックオフカウンタを再度始動させる、装置。
【請求項７】
前記無線通信デバイスはさらに、
前記バックオフカウンタの期限が切れたことを検出し、
前記バックオフカウンタの期限が切れたことを検出したことに応じて、前記ワイドチャネルでの送信を行う、請求項６に記載の装置。
【請求項８】
前記バックオフカウンタを再度始動させることは、前記再度始動させることの前に、分散インターフレームスペース（ＤＩＦＳ）だけ遅延させることを含む、請求項６または７に記載の装置。
【請求項９】
前記複数のナロウチャネルのそれぞれがアイドル状態にあることを検出することは、ガードインターバル検出技術を用いることを含む、請求項６から８のいずれか１項に記載の装置。
【請求項１０】
前記複数のナロウチャネルの少なくとも１つがビジー状態にあることを検出することは、エネルギー検出技術およびプリアンブル検出技術の少なくとも１つを用いることを含む、請求項６から９のいずれか１項に記載の装置。
【請求項１１】
前記無線装置に結合されたアンテナをさらに備える、請求項６から１０のいずれか１項に記載の装置。
【請求項１２】
ワイドチャネルの複数のナロウチャネルのそれぞれがアイドル状態にあることを検出する手順と、
前記ワイドチャネルのナロウチャネルのそれぞれがアイドル状態にあることを検出する手順の後にバックオフカウンタを始動させる手順と、
前記バックオフカウンタを始動させる手順の後に、前記複数のナロウチャネルの少なくとも１つがビジー状態にあることを検出する手順と、
前記複数のナロウチャネルの少なくとも１つがビジー状態にあることを検出したことに応じて前記バックオフカウンタを停止させる手順と、
前記バックオフカウンタを停止させる手順の後に、前記複数のナロウチャネルのそれぞれが再度アイドル状態になったことを検出する手順と、
前記複数のナロウチャネルのそれぞれが再度アイドル状態になったことを検出する手順の後に、停止した時点の値から前記バックオフカウンタを再度始動させる手順と
をコンピュータに実行させるプログラム。
【請求項１３】
前記バックオフカウンタの期限が切れたことを検出する手順と、
前記バックオフカウンタの期限が切れたことを検出したことに応じて、前記ワイドチャネルでの送信を行う手順と
をさらに実行させる、請求項１２に記載のプログラム。
【請求項１４】
前記バックオフカウンタを再度始動させる手順は、前記再度始動させることの前に、分散インターフレームスペース（ＤＩＦＳ）だけ遅延させる手順を有する、請求項１２または１３に記載のプログラム。
【請求項１５】
前記複数のナロウチャネルの少なくとも１つがビジー状態にあることを検出する手順は、ガードインターバル検出技術を用いる手順を有する、請求項１２から１４のいずれか１項に記載のプログラム。
【請求項１６】
前記複数のナロウチャネルのそれぞれがアイドル状態にあることを検出する手順は、エネルギー検出技術およびプリアンブル検出技術の少なくとも１つを用いる手順を有する、請求項１２から１５のいずれか１項に記載のプログラム。
【発明の詳細な説明】
【技術分野】
【０００１】
ＩＥＥＥ規格８０２．１ｌａ／ｎに準拠する無線ネットワークなど、いくつかの無線ネットワークにおいては、それぞれが２０ＭＨｚの帯域幅を有する２つのレガシー「ナロウ」チャネルからそれぞれ成る、４０ＭＨｚの帯域幅を有する「ワイド」チャネルが利用される。ＩＥＥＥ規格８０２．１ｌａｃに準拠する無線ネットワークなど、他のいくつかの無線ネットワークにおいては、それぞれが２０ＭＨｚの帯域幅を有する４つのレガシーチャネルからそれぞれ成る、８０ＭＨｚの帯域幅を有するワイドチャネルが利用される。いずれの場合でも、デバイスは、ワイドチャネルで送信を行う前に、全ての関連付けられたナロウチャネルがアイドル状態にあり、当該送信が、それらナロウチャネルの１以上を用いている可能性がある他のデバイスと干渉しないことを判断しなければならない。複数のデバイスがアイドル状態にある同一のチャネルの利用権を同時に得ようとし、同時に送信を試みるといった状況が発生する確率を減らすべく、各デバイスは、（バックオフカウンタによって計測される）ランダムに選択されたバックオフ期間、待機する。その後、関連付けられたナロウチャネルが当該バックオフ期間の後もアイドル状態にあるものと想定し、ワイドチャネルで送信を行う。許容される最大バックオフ期間は、「コンテンションウィンドウ」により定義される。この方法において、特定のデバイスの媒体へのアクセスの失敗は、著しい輻輳状態にあるネットワークにおいて頻繁に起こり得る。この状況が発生すると、デバイスのコンテンションウィンドウのサイズが大きくなり、よって、平均バックオフ期間が長くなる。さらに、バックオフカウントダウンの間にチャネルの１つがビジー状態になったことをデバイスが検知すると、カウントは最初から再度始動させられる。これらの２つの動作によってネットワークの輻輳は緩和されるかもしれないが、より短いバックオフ期間を有する他のデバイスがチャネルの制御権を先に取得するので、任意のデバイスが直ぐにチャネルの制御権を得られる可能性はさらに低くなる。
【０００２】
サービスエリアが重複する２つの独立したネットワークが同一のナロウチャネルのうちいくつかを使用している場合、同一のプロトコルに準じることにより、あるネットワーク内での送信が、他のネットワーク内での受信に干渉する確率を低くする。しかし、この状況においては、特定のネットワークが不利を被ることとなり得る。例えば、あるネットワークが大きなデータトラフィックを有している場合、当該ネットワーク内のデバイスのコンテンションウィンドウは、他のネットワーク内のデバイスのコンテンションウィンドウのサイズよりも大きくなる可能性が高い。（コンテンションウィンドウが大きいことによって）長い平均バックオフ期間を有するデバイスがチャネルの利用権を得ることが出来る可能性は、より短い平均バックオフ期間を有するデバイスよりも低い。或いは、４つのナロウチャネルを必要とするデバイスがそれら４つのチャネルの全てがアイドル状態にあることを検出できる可能性は、２つのナロウチャネルのみ必要とするデバイスが２つのチャネルがアイドル状態にあることを検出できる可能性よりも低い。
【図面の簡単な説明】
【０００３】
本願発明のいくつかの実施形態は、本願発明の実施形態を示すのに用いられる以下の説明および添付の図面を参照することにより、さらによく理解される。
【図１】図１は、本願発明の一実施形態に係る重複するネットワークを示す。
【図２】図２は、本願発明の一実施形態に係る、送信するべく無線媒体へのアクセス権を得る方法のフロー図を示す。
【図３】図３は、本願発明の一実施形態に係る、ワイドチャネルにアクセスするプロセスのタイミング図を示す。
【発明を実施するための形態】
【０００４】
以下の説明において、様々な具体的な詳細を示す。しかし、本願発明の実施形態は、それらの具体的な詳細を用いずとも実施出来ることを理解されたい。他の例においては、説明の理解を曖昧にすることを避けるべく、周知の回路、構造および技術が、詳細には示されていない。
【０００５】
「実施形態」、「一実施形態」、「例示的な実施形態」、「様々な実施形態」などと言及する場合、それらによって説明される本願発明の実施形態は、特定の特徴、構造または特性を含んでよいことを示し、全ての実施形態がそれら特定の特徴、構造または特性を含む必要があることを示すわけではない。さらに、いくつかの実施形態は、他の実施形態に関連して説明される特徴のいくつかまたは全てを含んでもよく、或いは、全く含まなくてもよい。
【０００６】
以下の説明および請求項において、「結合」および「接続」といった用語、およびそれらの派生語を用いることがある。これらの用語は互いの同義語として用いられるわけではないことを理解されたい。むしろ、特定の実施形態において「接続」とは、２以上の要素が互いに、物理的または電気的に直接接触することを示す。「結合」とは、２以上の要素が互いに協働する、または相互に作用することを示し、それらの要素間には、介在する物理的または電気的な部品があってもなくてもよい。
【０００７】
他に特記がなければ、請求項で共通の要素を示すべく用いられる「第１」、「第２」、「第３」などの序数の形容詞は、それら同様の要素の異なる例が言及されていることを単に示しており、それらによって説明される要素が、時間的、空間的、階層的、或いは他の面で、所与の順番でなければならないことを意味するわけではない。
【０００８】
本願発明の様々な実施形態は、ハードウェア、ファームウェアおよびソフトウェアのいずれか、あるいはこれらの任意の組み合わせにより実施されてよい。本願発明は、本明細書に説明する段階の動作を可能とするべく１以上のプロセッサによって読み取られ実行されるコンピュータ可読媒体に含まれる命令として実施することも可能である。コンピュータ可読媒体は、１以上のコンピュータによって読み取り可能な形態で情報を格納する何らかのメカニズムを含んでよい。例えば、コンピュータ可読媒体は、読み取り専用メモリ（ＲＯＭ）、ランダムアクセスメモリ（ＲＡＭ）、磁気ディスク記憶媒体、光学記憶媒体、フラッシュメモリ装置などの有形記憶媒体を含むが、これらに限定されない。
【０００９】
「無線」という用語は、非有形媒体を介して、変調された電磁放射を用い、データ通信を行う回路、デバイス、システム、方法、技術、通信チャネルなどを説明するのに用いられる。「無線」という用語は、関連付けられたデバイスが何ら配線を有していないことを意味するわけではない。無線デバイスには、少なくとも１つのアンテナ、少なくとも１つの無線装置、少なくとも１つのメモリおよび少なくとも１つのプロセッサが含まれる。無線装置は、データを表す信号をアンテナを介して送信し、データを表す信号をアンテナを介し受信する。プロセッサは、送信されるデータ、および受信されたデータを処理する。プロセッサは、送信も受信もされない他のデータの処理も行ってよい。
【００１０】
本明細書で用いられる「ネットワーク制御装置」という用語は、ネットワーク内の他のデバイスによる無線通信の少なくとも一部のスケジューリングおよび制御を行うデバイスを包含する。ネットワーク制御装置は、基地局（ＢＳ）、アクセスポイント（ＡＰ）またはセントラルポイント（ＣＰ）などとしても知られ、或いはネットワーク制御装置の機能性を表す他の用語で呼ばれることもある。
【００１１】
本明細書で用いられる「モバイルデバイス」という用語は、行う無線通信のスケジューリングおよび制御の少なくとも一部がネットワーク制御装置によって行われる装置を包含する。モバイルデバイス（ＭＤ）は、移動局（ＭＳ）、ＳＴＡ、加入者局（ＳＳ）またはユーザ機器（ＵＥ）などとしても知られ、或いはモバイルデバイスの機能性を表す他の用語で呼ばれることもある。モバイルデバイスは、そのような通信の間、その物理的位置が変化するものであってもいが、そのような位置の変化は必須ではない。
【００１２】
本明細書で用いられる「ナロウ」チャネルは、周波数スペクトルにおいて事前に定義された連続する帯域幅を有するチャネルであり、「ワイド」チャネルは、これらナロウチャネルのうち複数によって占められる周波数スペクトルの組み合わせられた部分を有するチャネルである。つまり、特定の複数のナロウチャネルは、総体として、特定のワイドチャネルを構成する。いくつかの実施形態において、ワイドチャネルは隣接するナロウチャネルのみを含むが、他の実施形態において、これらのナロウチャネルは隣接しているものでなくてもよい。つまり、ワイドチャネルに含まれる２つのナロウチャネルは、当該ワイドチャネルに含まれない１以上のナロウチャネルによって、周波数スペクトルにおいて隔てられていてよい。説明を簡便にするべく、ナロウチャネルは、２０ＭＨｚの帯域幅を有するものとして説明し、ワイドチャネルは、例えば４０ＭＨｚまたは８０ＭＨｚなどの、２０ＭＨｚの整数倍の帯域幅を有するものとして説明する。しかし、他の実施形態においては、２０ＭＨｚ以外のナロウチャネル帯域幅を用いてよい。本明細書において、「チャネル」という用語は、ワイドチャネルと示されない限り、ナロウチャネルを指す。
【００１３】
様々な実施形態において、デバイスは、（１つの一次ナロウチャネルおよび１以上の二次ナロウチャネルから成る）ワイドチャネルの送信権を得ようとする際、バックオフカウンタを用いる。デバイスは、カウンタを始動させ、カウンタの期限が切れるまで送信しない。「バックオフカウンタ」という用語は、当該カウンタの期限が切れるまで送信する機会からバックオフする（手を引く）べく（送信せずに待機するべく）用いられるカウンタを指す。デバイスは、他の目的に用いられる他のカウンタを有してもよい。バックオフカウンタがカウントダウンしている間に二次ナロウチャネルの１つがビジー状態になった場合、バックオフカウンタを停止する。全てのナロウチャネルが再びアイドル状態となったことが検出されると、従来のシステムでそうであったように新たなカウント値から新たにバックオフ期間を開始するのではなく、バックオフカウンタは、停止した時点の値から再度始動させられる。いくつかの実施形態においては、二次チャネルがアイドル状態にあるかビジー状態にあるかの検知にガードインターバル検出技術を用いてよい。（恐らくは０に向かって）カウントダウンするものとして説明されるが、カウンタは、期限が切れるまで、任意の値から他の任意の値までカウントアップまたはカウントダウンするようプログラムされていてもよい。この変形例は、当業者の能力で設計出来る範囲に十分含まれる。
【００１４】
図１は、本願発明の一実施形態に係る重複するネットワークを示す。第１ネットワークにおいて、ネットワーク制御装置ＮＣ１は、モバイルデバイスＭＤ１、ＭＤ３、ＭＤ５と無線通信を行っている。第２ネットワークにおいて、ネットワーク制御装置ＮＣ２は、モバイルデバイスＭＤ２、ＭＤ４、ＭＤ６と無線通信を行っている。ＭＤ１とＭＤ２とは互いに十分近いので、一方の通信による信号が十分に強い信号強度で他方によって受信され得、干渉が起こり得る。よって、これらのネットワークは、重複するネットワークに当てはまる。信号強度は、ネットワーク制御装置からの物理的距離とは関係のない多くの事象に依存するので、ネットワークが重複しているとされるには、各デバイスが事前に定義された物理エリア内にあることが必須なわけではない。２つのネットワーク内の他のデバイスによってもネットワーク間干渉は起こり得るが、原理を示すにはＭＤ１およびＭＤ２の説明で十分であろう。
【００１５】
本例においてはさらに、デバイスＭＤ１が、複数のナロウチャネルから成るワイドチャネルで、（ＮＣ１などの）自身が属するネットワーク内の他のデバイスと通信を行おうとするものとし、デバイスＭＤ２は、それらナロウチャネルの少なくとも１つを用い、自身が属するネットワーク内で通信を行えるものとする。よって、ＭＤ１およびＭＤ２は、同時に同一のナロウチャネルを使用しようとすることもあり、このことによって、ネットワーク間干渉が起こる。
【００１６】
図２は、本願発明の一実施形態に係る、送信するべく無線媒体へのアクセス権を得る方法のフロー図を示す。示される例において、デバイス（例えば、図１のＭＤ１）が、複数のナロウチャネルから成るワイドチャネルで、コンテンションベースのアクセス期間に他のデバイスへの送信を希望するものとする。ワイドチャネルを使用する多くのネットワークにおいて、デバイスは、ワイドチャネルを選択肢としていくつか有し、それぞれのワイドチャネルは、異なる組の、事前定義された複数のナロウチャネルからなる。よって、本プロセスは、２１０において、送信で用いることを希望するワイドチャネルを選択して特定のナロウチャネルを選択することから開始する。図２の残りの説明に関しては、「チャネル」という用語は、ワイドチャネルと特記されない限り、ナロウチャネルを指す。
【００１７】
いくつかの実施形態において、デバイスは、２１０で選択された全てのチャネルがアイドル状態であると２１５で判断するまで、処理を進めない。他の実施形態においては、全ての選択されたチャネルがアイドル状態にあるかどうかをモニタリングする前に、カウンタ値を設定する（２２０参照）。「アイドル状態」という用語は、他のデバイスがチャネルを使用していないことを示し、或いは他のデバイスが使用している場合には、デバイスが検出する受信信号の強度が、問題とならない程度に弱い状態であることを示す。反対に、「ビジー状態」という用語は、他のデバイスがチャネルを使用しており、受信信号の強度が、一定の閾値よりも強いことを示す。いくつかの技術においては、信号が他のデバイスから出力されるものとして特定できなかったとしても、チャネル上の一定レベルのエネルギーを検出するだけで、チャネルはビジー状態であると見なされる。他の技術においては、送信されるプリアンブルが検出されると、チャネルはビジー状態としてみなされ、それに関連する送信が停止するまでは、ビジー状態にあるものと見なされる。いくつかの実施形態においては、これらの技術が組み合わされる。送信の完了は、ＯＦＤＭシンボルのガードインターバルを検出することにより検出される。ガードインターバル検出器を任意の実現可能な方法で実装してもよい。
【００１８】
２２０において、デバイス内のオフセットカウンタを任意の値にプログラムし、カウンタの期限が切れるまで、当該カウンタは一定の期間はカウントを続けなければならない。オフセットカウンタは、ハードウェア、ソフトウェア、これらの組み合わせ、または他の任意の実現可能な手段により実装してもよい。カウンタは２２５において始動させられる。２３０でカウンタの期限が切れる。
【００１９】
選択されたチャネルがアイドル状態であると２３５で判断され続ける限り、カウンタは、カウントダウンを続け、２３０〜２３５のプロセスを繰り返す。しかし、１以上のチャネルがビジー状態になると（例えば、カウントダウン期間中に、他のデバイスがチャネルで送信を開始すると）カウンタは、２４０で停止させられ、再び全てのチャネルが２４５でアイドル状態となることが検出されるまで、停止したままとなる。全てのチャネルが再びアイドル状態になると、カウンタは、２２５で再度始動させられる。いくつかの実施形態において、デバイスは、全てのチャネルがアイドル状態にあることを検出してからカウンタを再度始動させるまで一定期間、処理を遅らせる。分散インターフレームスペース、つまりＤＩＦＳは、本例において２５０における遅延期間として示されている。しかし、他の遅延値を用いることも可能である。
【００２０】
デバイスは、カウンタの期限が２３０で切れるまで、このように段階２２５〜２５０を続ける。いくつかの例において、１以上のチャネルでトラフィックが検出されることにより、カウンタは複数回停止させられ、そして再度始動させられる。カウンタの期限が切れた後、デバイスは、２６０においてワイドチャネルで送信することにより、当該ワイドチャネルの制御権を得る。いくつかの例において、送信は、選択されたナロウチャネルのサブセットのみを用いて行われるが、他の例においては、選択されたナロウチャネルの全てを用いて行われる。
【００２１】
いくつかの実施形態において、デバイスは、プロセスを通じて継続的に選択されたチャネルをモニタリングし、それら選択されたチャネルがアイドル状態にあるかビジー状態にあるかを判断する。他の実施形態において、アイドル／ビジー状態のチェックは、周期的に行われる。当該モニタリングは、様々な技術を用いて行うことが出来る。
【００２２】
図３は、本願発明の一実施形態に係る、ワイドチャネルにアクセスするプロセスのタイミング図を示す。本例において、ワイドチャネルは、４つのナロウチャネルから成る（ＰＲＩの符号が付された１つの一次チャネル、ＳＥＣ−１、ＳＥＣ−２およびＳＥＣ−３の符号が付された３つの二次チャネル）。典型的なシナリオにおいて、ナロウチャネルはそれぞれ２０ＭＨｚの帯域幅を有し、よってワイドチャネルは８０ＭＨｚの帯域幅を有する。しかし、他のチャネル幅を用いることも出来る。本例において、４つのナロウチャネルの全ては最初、いずれかのデバイスが当該ワイドチャネルで送信を行っているので、ビジー状態である。送信が完了した後に１つのＤＩＦＳから成るインターバルを置く。
【００２３】
ここで、ワイドチャネルでの送信を希望するデバイスは、バックオフカウンタを始動させる。バックオフカウンタの期限が切れた後（最後までカウントダウンした後）、デバイスは、４つのナロウチャネルのそれぞれがまだアイドル状態であれば送信を行う。カウントダウンを開始する前に、（現在選択されているコンテンションウィンドウの範囲内で）ランダムに、または擬似ランダムに選択された値で、カウンタの事前設定を行ってもよい。
【００２４】
しかし、本例では、バックオフカウンタがカウントしている間に、二次チャネルＳＥＣ−２での送信が検出されている。現在のネットワーク内のデバイスは当該ネットワーク制御装置の制御下にあり、当該ネットワーク制御装置はそのような予期せぬ送信を防ぐことが出来るので、この検出された送信は、他のネットワーク内のデバイスからのものである可能性が高い。しかし、いくつかの例においては、送信は同ネットワーク内からのものである可能性もある。ＳＥＣ−２での送信が検出されると、バックオフカウンタは停止させられ、４つのチャネルの全てが再度アイドル状態となるまで停止したままとなる。４つのチャネルの全てがアイドル状態であることが検出されると、他のＤＩＦＳを置いて、その後カウンタは再度始動される。
【００２５】
バックオフカウンタの期限が切れ、４つのチャネルの全てがまだアイドル状態である場合、デバイスは、ワイドチャネルで送信を行う。これにより、ワイドチャネルの制御権を得て送信を行う、という当初の目的を達成できる。本例では、カウントダウン期間、１つのナロウチャネルにおいて、１つの干渉する送信のみが発生するものとした。しかし他の例においては、複数の干渉する送信が発生してもよく、またそれらが複数の二次チャネルで発生してもよい。場合によっては、２以上のチャネルが同時に、同一のワイドチャネル送信により占められることもある。また場合によっては、第２ナロウチャネルでの干渉する送信が、第１ナロウチャネルでの干渉する送信が完了する前に、検出される。
【００２６】
しかしこれらのいずれ場合においても、バックオフカウンタは、関連付けられたナロウチャネルの全てがアイドル状態であることを検出されたときのみカウントを行うべきであり、バックオフカウンタは、他のデバイスからの干渉する送信があり停止させられた後、新たにカウントダウンを最初から開始するのではなく、停止した時点の値から再度始動される。
【００２７】
上述した説明は例示として示されており、限定を目的とはしていない。当業者であれば変形例を思いつくであろう。それら変形例は、以下の特許請求の範囲によってのみ定められる本発明の様々な実施形態に包含される。
【図１】
2013537783.tif 000003
【図２】
2013537783.tif 000004
【図３】
2013537783.tif 000005
【国際調査報告】
2013537783.tif 000006
2013537783.tif 000007